(57)【特許請求の範囲】
【請求項１】
略粒子状をなす物体の表面を湿潤用液体で濡らし、当該湿潤された物体表面を、光触媒機能による付着付与剤自体の分解機能を遅くさせてある固化していない付着付与剤たるセメントで覆い、固化していない付着付与材層を形成すると共に、該固化していない付着付与材層に、光触媒機能を有する光触媒粒子を付着させて覆い、光触媒層を形成して固化していない光触媒体を構成し、
あるいは、略粒子状をなす物体の表面を、光触媒機能による付着付与剤自体の分解機能を遅くさせてある液体状付着付与剤たる水ガラス、又はコロイダルシリカ、又はポリオルガノシロキサン、又はフッ素系ポリマー、又はシリコン系ポリマーで覆い、固化していない付着付与材層を形成すると共に、該固化していない付着付与材層に、光触媒機能を有する光触媒粒子を付着させて覆い、光触媒層を形成して固化していない光触媒体を構成し、
前記固化していない光触媒体を、被接着体上に吹き付けまたは圧着し、前記固化していない光触媒体の前記付着付与剤層同士を付着させると共に、被接着体上には前記固化していない光触媒体の付着付与剤層を接着させ、被接着体上に光触媒層を形成した、
ことを特徴とする光触媒層の形成方法。
【請求項２】
略粒子状をなす物体の表面を湿潤用液体で濡らし、当該湿潤された物体表面を、光触媒機能による付着付与剤自体の分解機能を遅くさせてある固化していない付着付与剤たるセメントで覆い、固化していない付着付与材層を形成すると共に、該固化していない付着付与材層に、光触媒機能を有する光触媒粒子を付着させて覆い、光触媒層を形成して固化していない光触媒体を構成し、
あるいは、略粒子状をなす物体の表面を、光触媒機能による付着付与剤自体の分解機能を遅くさせてある液体状付着付与剤たる水ガラス、又はコロイダルシリカ、又はポリオルガノシロキサン、又はフッ素系ポリマー、又はシリコン系ポリマーで覆い、固化していない付着付与材層を形成すると共に、該固化していない付着付与材層に、光触媒機能を有する光触媒粒子を付着させて覆い、光触媒層を形成して固化していない光触媒体を構成し、
前記固化していない光触媒体を、固化しない段階での付着付与剤層が設けられた被接着体の前記固化していない付着付与材層上に吹き付けまたは圧着し、前記固化していない光触媒体の前記付着付与剤層同士を付着させると共に、被接着体上の固化していない付着付与層上には前記固化していない光触媒体の付着付与剤層を接着させ、被接着体上に光触媒層を形成した、
ことを特徴とする光触媒層の形成方法。
【請求項３】
前記被接着体上の付着付与剤に着色顔料を混合した、
ことを特徴とする請求項２記載の光触媒層の形成方法。
【請求項４】
前記光触媒体に着色顔料を混合した、
ことを特徴とする請求項１、または請求項２記載の光触媒層の形成方法。
【発明の詳細な説明】
【０００１】
【産業上の利用分野】
本発明は、光触媒体の製造方法及び製造された光触媒体による光触媒層の形成方法に関するものである。
【従来の技術】
従来、光触媒粒子及び光触媒粒子の製造法として、特許番号第２９１８７８７号特許及び特許番号第３０２７７３９号特許が一般に知られている。
【０００２】
しかしながら前記従来の方法であると、当初にいわゆる難分解性結着剤と光触媒粒子とを混合して混合物を形成し、該混合物により光触媒層を形成しており、もって光触媒粒子部分が外側に露出することが比較的少なく光触媒機能の効率があまり芳しくないものとなっていた。
【０００３】
また、いわゆる難分解性結着剤たるセメントと光触媒粒子とを混合すると、セメントが発熱して瞬時に固化してしまうため、通常は遅延剤を混入するが、それによっても光触媒機能が低下するとの課題があった。
【０００４】
【発明が解決しようとする課題】
かくして、本発明は前記従来の課題に対処すべく創案されたものであり、本発明による光触媒体の製造方法は、光触媒粒子（酸化チタン）を例えば付着付与剤を介して被接着体の表面に比較的高濃度にかつ強固に付着させることが出来、しかも表面部分にのみ酸化チタンを付着させているため、少量の酸化チタンの使用量で済んでコストパフォーマンスの優れた光触媒体を提供することを目的とするものである。
【０００５】
また、リバウンドや強度低下がなく、しかもＮＯｘ除去率等の光触媒機能を格段に向上させた前記製造された光触媒体による光触媒層の形成方法を提供することを目的とするものである。
【課題を解決するための手段】
かくして、本発明は、略粒子状をなす物体の表面を湿潤用液体で濡らし、当該湿潤された物体表面を、光触媒機能による付着付与剤自体の分解機能を遅くさせてある固化していない付着付与剤たるセメントで覆い、固化していない付着付与材層を形成すると共に、該固化していない付着付与材層に、光触媒機能を有する光触媒粒子を付着させて覆い、光触媒層を形成して固化していない光触媒体を構成し、
あるいは、略粒子状をなす物体の表面を、光触媒機能による付着付与剤自体の分解機能を遅くさせてある液体状付着付与剤たる水ガラス、又はコロイダルシリカ、又はポリオルガノシロキサン、又はフッ素系ポリマー、又はシリコン系ポリマーで覆い、固化していない付着付与材層を形成すると共に、該固化していない付着付与材層に、光触媒機能を有する光触媒粒子を付着させて覆い、光触媒層を形成して固化していない光触媒体を構成し、
前記固化していない光触媒体を、被接着体上に吹き付けまたは圧着し、前記固化していない光触媒体の前記付着付与剤層同士を付着させると共に、被接着体上には前記固化していない光触媒体の付着付与剤層を接着させ、被接着体上に光触媒層を形成した、
ことを特徴とし、または、略粒子状をなす物体の表面を湿潤用液体で濡らし、当該湿潤された物体表面を、光触媒機能による付着付与剤自体の分解機能を遅くさせてある固化していない付着付与剤たるセメントで覆い、固化していない付着付与材層を形成すると共に、該固化していない付着付与材層に、光触媒機能を有する光触媒粒子を付着させて覆い、光触媒層を形成して固化していない光触媒体を構成し、
あるいは、略粒子状をなす物体の表面を、光触媒機能による付着付与剤自体の分解機能を遅くさせてある液体状付着付与剤たる水ガラス、又はコロイダルシリカ、又はポリオルガノシロキサン、又はフッ素系ポリマー、又はシリコン系ポリマーで覆い、固化していない付着付与材層を形成すると共に、該固化していない付着付与材層に、光触媒機能を有する光触媒粒子を付着させて覆い、光触媒層を形成して固化していない光触媒体を構成し、
前記固化していない光触媒体を、固化しない段階での付着付与剤層が設けられた被接着体の前記固化していない付着付与材層上に吹き付けまたは圧着し、前記固化していない光触媒体の前記付着付与剤層同士を付着させると共に、被接着体上の固化していない付着付与層上には前記固化していない光触媒体の付着付与剤層を接着させ、被接着体上に光触媒層を形成した、
ことを特徴とし、または、前記被接着体上の付着付与剤に着色顔料を混合した、ことを特徴とし、または、前記光触媒体に着色顔料を混合した、ことを特徴とするものである。
【発明の実施の態様】
本発明による光触媒体１２の製造方法及び製造された光触媒体１２による光触媒層の形成方法の一実施例につき説明する。
【０００６】
まず図１から理解されるように、略粒子状をなす物体、例えば大量複数個の骨材１・・・を所定の収納容器２内に収納し、その中に例えば水３などの湿潤用液体を加えて攪拌する。尚、説明の便宜上、図においては骨材１の大きさを実際の大きさより拡大して示してある。
【０００７】
次いで前記の攪拌により水３で濡らされた骨材１群が収納されている収納容器２内に付着付与剤、例えば粉体材料である乾いたセメント４を投入し、攪拌、混練りを行う。
【０００８】
これにより水３で濡らされた骨材１の表面に付着付与剤たるセメント４を均一にしてかつ湿潤させた状態で付着させることが出来る。
【０００９】
ところで、付着付与剤とは、光触媒粒子あるいは光触媒体１２を所定の物体に付着させるために使用するものをいい、しかも光触媒粒子等自体が有する光触媒機能による付着付与剤自体の分解速度を極めて遅くさせてあるものを指標するものである。
【００１０】
すなわち光触媒粒子あるいは光触媒体１２は自身が有する光触媒機能により光触媒粒子あるいは光触媒体１２を所定の物体に付着させる付着付与剤をも分解してしまう。よって、その分解速度が速い付着付与剤では光触媒粒子等を物体から早い時期に脱離させてしまい、ひいては光触媒機能を消滅させてしまうのである。
【００１１】
しかして、本発明での付着付与剤の例としては、特に液体としての付着付与剤としては、水ガラス、コロイダルシリカ、ポリオルガノシロキサンなどのケイ素化合物、フッ素系ポリマー、シリコン系ポリマーなどが挙げられる。
【００１２】
また、粉体状をなす付着付与剤の例としては、一般的にリン酸亜鉛、リン酸アルミニウムなどのリン酸塩、重リン酸塩、セメント、石灰、セッコウ、プラスターなどの無機系付着付与剤などが挙げられる。
【００１３】
前記のセメント４としては、例えば早強セメント、普通セメント、中庸熱セメント、耐硫酸塩セメント、ホワイト（白色）セメント、油井セメント、地熱井セメントなどのポルトランドセメント、フライアッシュセメント、高硫酸塩セメント、シリカセメント、高炉セメントなどの混合セメント、アルミナセメントなどが挙げられる。
【００１４】
プラスターとしては例えばセッコウプラスター、石灰プラスター、ドロマイトプラスターなどが該当する。
【００１５】
次に、例えば略粉体状をなす付着付与剤たるセメント４を表面に充分まんべんなく付着させた後、前記収納容器２内に光触媒粒子たる例えば酸化チタン５を投入し再度混練りを行う。
【００１６】
すると図１に示すように、骨材１の外周面には第１層としてセメント４が付着して形成された付着付与剤層が、さらにその骨材１におけるセメント４の層を被覆するように酸化チタン５の光触媒層で覆われた光触媒体１２が製造されることとなる。すなわち、付着付与剤たるセメント４から浸透したいわゆる浸透水により前記酸化チタン５が迅速にくっつき、もってセメント４の層を被覆するように光触媒層を形成する。
【００１７】
次に、上記のようにして製造した光触媒体１２が固化しないうちに、すなわち光触媒体１２の光触媒層及び付着付与剤層が固化しないうちに図２に示す搬送用ホッパ６内に投入し、空気圧縮機７を使用して前記光触媒体１２群を搬送管路８内においてノズル９先端方向へ移動させる。
【００１８】
そして、ノズル９からは水と混合されてさらに柔らかくされた光触媒体１２群が被接着体である例えば構造物の壁面１０等に吹き付けされる。
【００１９】
すると、図３に示すように光触媒体１２，１２の固化していない状態の付着付与剤層同士及び光触媒層同士が付着しあうと共に、特に付着付与剤層が前記構造物の壁面１０等に強固に付着することになる。
【００２０】
尚、型枠内に付着付与剤たるセメント４をあらかじめ充填しておき、その上に前記形成された光触媒粒子１２を敷設し、その後圧着して光触媒層を形成する。
【００２１】
次に、図４に示すように、まず被接着体である例えば構造物の壁面１０等に付着付与剤たる例えばセメント４を先に吹き付けるかあるいは塗布しておき、あらかじめ付着付与剤層を形成しておく。
【００２２】
続いて、前記付着付与剤層が固まる前に、前述の製造方法により製造され、かつそれが固化する前の光触媒体１２を、前記固化する前の付着付与剤層に吹き付ける。
【００２３】
これにより、光触媒体１２群を一層の付着力を有して被接着体たる構造物の壁面１０等に強固に付着させることが出来る。
【００２４】
図５に光触媒層の形成方法の参考例を説明する。
【００２５】
この実施例では図５から理解されるように、ミキサー１１内に本発明により製造された光触媒体１２であって、それが固化した後のもの（しかし固化する前のものでも構わない。）と付着付与剤たるセメント４及び水３等を入れ、それを攪拌、混合して光触媒体１２を含んだ略半流動体状の混合物を形成する。
【００２６】
そして、前記混合物を被接着体たる例えば構造物の壁面１０等に吹き付けるかあるいはこれを塗布する。
【００２７】
これにより構造物の壁面１０等にやはり強固で光触媒効率のよい光触媒層を形成することが出来る。
【００２８】
図６に光触媒層の形成方法の参考例（その２）を示す。
【００２９】
この実施例ではまず、被接着体たる構造物の壁面１０等に付着付与剤である例えばセメント４をあらかじめ吹き付けるかあるいは塗布して付着付与剤層を形成しておく。
【００３０】
次いで、ミキサー１１内に本発明により製造された光触媒体１２であって、それが固化した後のもの（尚、固化する前のものでも構わない。）と付着付与剤たるセメント４及び水３等を入れ、それを攪拌、混合して略半流動体状の混合物を形成する。
【００３１】
そして、前記混合物を前記の付着付与剤層に吹き付けるかあるいは塗布して光触媒層を形成するのである。
【００３２】
これにより構造物の壁面１０等に光触媒体１２を付着させやすくなり、もってやはり強固な光触媒層を形成することが出来る。
【００３３】
尚、付着付与剤である例えばセメント４内に着色顔料を混入し、この付着付与剤層に光触媒体１２を吹き付けあるいは圧着すれば、光触媒機能も達成でき、しかもカラーリングされた構造物の壁面１０等が形成できる。この場合、光触媒体１２を形成する骨材１としては透明性を有する部材を使用することが好ましい。
【００３４】
また、前記着色顔料を光触媒粒子１２に混入する。
【００３５】
【発明の効果】
かくして本発明は以上の構成からなる。
【００３６】
そして本発明による光触媒体は、骨材の表面部がすべて光触媒粒子で覆われることになり、この光触媒体を使用して、比較的高濃度に高密度に光触媒粒子（酸化チタン）を被接着体の表面に付着させることが出来、しかも強固に付着させることも出来る。
【００３７】
また表面部分にのみ光触媒粒子（酸化チタン）を付着させているため、少量の酸化チタンの使用量で済んで製造コストパフォーマンスの優れた光触媒体を提供することもできる。
【００３８】
また、この光触媒体を使用した光触媒層であれば、光触媒体のリバウンドや光触媒層の強度低下がなく、しかもこれによるＮＯｘ除去率を格段に向上させることができる。
【図面の簡単な説明】
【図１】本発明の構成を説明する構成説明図（その１）である。
【図２】本発明の構成を説明する構成説明図（その２）である。
【図３】本発明による光触媒体の接着状態を説明する説明図である。
【図４】本発明の構成を説明する構成説明図（その３）である。
【図５】参考例の構成を説明する構成説明図（その１）である。
【図６】参考例の構成を説明する構成説明図（その２）である。
【符号の説明】
１ 骨材
２ 収納容器
３ 水
４ セメント
５ 酸化チタン
６ 搬送用ホッパ
７ 空気圧縮機
８ 搬送管路
９ ノズル
１０ 構造物の壁面
１１ ミキサー
１２ 光触媒体
【図１】
0003866071.tif 000002
【図２】
0003866071.tif 000003
【図３】
0003866071.tif 000004
【図４】
0003866071.tif 000005
【図５】
0003866071.tif 000006
【図６】
0003866071.tif 000007